(57)【要約】【課題】電池が誤挿入されて逆接続された場合には、電池が充電されて液漏れなどが発生して電子機器本体の異常動作を招く課題があった。また電池を正常に挿入しても、電池を確実に電子機器本体に固定することは出来ず、電池の非導通によって電子機器の動作不能状態を招くという課題も残っていた。【解決手段】スライド式の電池蓋開閉装置において、電池を誤挿入した場合に、電池蓋が電池収納部と係合しないように構成し、ユーザーに誤挿入を知らせるとともに電池の導通を阻止することが可能となる。また、電池が正常に挿入された場合には、電池蓋に設けられたリブによって電池に押圧力をかけて、電池を確実に電池収納部内に固定し、電池の導通状態を確実にする。【選択図】図３
2009021059.tif 000002
【特許請求の範囲】
【請求項１】
電池蓋を回転移動とスライド移動によって収脱する電子機器の電池収納ユニットであって、
前記電池蓋は、金属製弾性体によって構成されたそれぞれ電池の正極用及び負極用の当接部と、該当接部間を導通させる構造の電池蓋側端子と、前記電池蓋の上面部にスライド方向に対して垂直方向に凹凸になされた操作指用滑り止め部と、前記電子機器本体にスライドして係合するための4箇所の爪部と、前記電池蓋の後端部近傍を中心に回転可能に垂直上方向にコイルバネで付勢されている前記電池蓋を支える電池蓋支持部と有し、前記電池収納ユニットの本体は、前記電池蓋の電池蓋支持部を嵌め合わせて蝶番を構成する本体側支持部と、金属弾性体によって構成されたそれぞれ電池の正極用及び負極用の当接部と、該当接部間を導通させる構造の本体側端子と、前記電池蓋の４箇所の爪部をそれぞれ係合するための４箇所のロック部とを有し、前記電池蓋の収納動作においては前記電池蓋を本体に対して垂直に開いた状態である垂直開状態、前記垂直開状態から回転移動によって到達する水平開状態、前記水平開状態からスライド移動させるスライド移動状態、および前記スライド移動状態が終端まで移動することで閉状態に到達し、前記電池蓋が前記スライド移動状態において前記閉状態に近づく際、前記電池蓋当接部と前記本体側当接部とが当接し、その当接により前記当接部は前記スライド移動状態方向に前記本体側当接部からの付勢力を受け、前記電池蓋が前記付勢力に抗してさらに閉状態側に移動すると両当接部が導通し、前記４箇所の爪部と前記４箇所のロック部がそれぞれ係合する構造であって、
前記電池蓋は電池挿入方向に突出するリブを有し、前記電池収納ユニットに正常な極性で電池が挿入された場合には、前記スライド移動状態からスライドして前記閉状態で前記リブが該電池を前記電池収納ユニット側に押圧し、かつ前記爪部と前記ロック部が係合し、
前記電池収納ユニットに誤った極性で電池が挿入された場合には、前記スライド移動状態からスライドして前記閉状態に近づいても前記爪部と前記ロック部が係合できないよう構成されている電池収納ユニット。
【請求項２】
前記リブは前記スライド状態から前記閉状態に移動すると同時に前記電池を前記電池収納ユニットに押圧し、かつ前記スライド量に従って前記電池の前記電池収納ユニットへの押圧力を徐々に大きくするように所定の角度を以って前記電池と当接するよう構成された請求項１に記載の電池収納ユニット。
【請求項３】
前記リブは、弾性を持つように前記電池蓋と一体成形されて前記電池蓋に配されている、請求項１乃至２に記載の電池収納ユニット。
【請求項４】
前記当接部は、前記電池蓋と一体成型されて電池蓋に配されている請求項１乃至３に記載の電池収納ユニット。
【請求項５】
前記爪部と前記ロック部をそれぞれ２箇所以上有する請求項１乃至４に記載の電池収納ユニット。
【発明の詳細な説明】
【技術分野】
【０００１】
本発明は、スライド可能な電池蓋を有する電池収納ユニットに関し、特に電池の誤挿入による過放電を防止するための電池収納ユニットに関する。
【背景技術】
【０００２】
従来、ポータブルオーディオプレーヤーや携帯電話などの電池で動作する電子機器において、電池の交換の際に、電池の極性を誤って挿入した場合に、その誤挿入をユーザーに知らせるための構造を有する電池収納ユニットが知られている。このような電池収納ユニットとして、特許文献１に記載された発明がある。この発明では、電池ホルダー部に乾電池の極性を正常な向きで収納した状態で、複数の乾電池のプラス端子およびマイナス端子の接続部周辺の間隙部に位置する電池蓋に一体形成あるいは別体のリブを配置した電池収納ユニットの構造が開示されている。
【０００３】
図９を用いて特許文献１を説明する。まず、図９の（ａ）は電池が正常に挿入された図を示す。電池収納部９００に、電池９０３および９０４が正しく挿入すると、電池蓋９０１に設けられた突起部９０２が、電池９０３のプラス端子と電池９０４のマイナス端子の接点に、プラス端子の突起分の隙間Ｌが出来る。次に電池蓋９０１で電池収納部９００を閉じたときには、電池蓋９０１に設けられた突起部９０２が前記隙間Ｌに入り込み、電池蓋９０１は電池収納部９００の開口部９０５に係合した状態となる。次に、図９の（ｂ）は電池が正常に挿入されていない図を示す。電池収納部９００に、電池９０３と電池９０４が両電池のマイナス同士が接するように誤って挿入されている場合には、前記のような隙間Ｌは出来ないため、電池蓋９０１で電池収納部の開口部９０５を閉じようとしても、電池蓋９０１の突起部９０２が係合を阻止して電池蓋９０１を閉めることが出来ない。
【特許文献１】実開平１−１７４８５２
【発明の開示】
【発明が解決しようとする課題】
【０００４】
特許文献１に記載の技術では、電池蓋が閉らないことによって、電池の誤挿入をユーザーに知らせることは可能であるが、誤挿入した状態で電池は導通可能な構成となっているため、図９（ｂ）のように電池が誤挿入されて逆接続された場合には、電池が過放電されて電子機器本体に過電流が流れ電子素子にダメージを与え、また電池自体の液漏れなどが発生して電子機器本体の異常動作を招く課題があった。また電池を正常に挿入しても、電池を確実に電子機器本体に固定することは出来ず、電池の非導通によって電子機器の動作不能状態を招くという課題も残っていた。
【０００５】
そこで、本発明は、電池蓋が閉らないことでユーザーに対して電池が誤挿入されていることを知らせると共に、誤挿入された場合には電池の導通を阻止し、正しく電池が挿入された場合には確実に電池を電池収納部に固定できる電池蓋開閉装置を提供することを目的とする。
【課題を解決するための手段】
【０００６】
上記目的を達成するために、電池蓋を回転移動とスライド移動によって収脱する電子機器の電池収納ユニットであって、前記電池蓋は、金属製弾性体によって構成されたそれぞれ電池の正極用及び負極用の当接部と、該当接部間を導通させる構造の電池蓋側端子と、前記電池蓋の上面部にスライド方向に対して垂直方向に凹凸になされた操作指用滑り止め部と、前記電子機器本体にスライドして係合するための4箇所の爪部と、前記電池蓋の後端部近傍を中心に回転可能に垂直上方向にコイルバネで付勢されている前記電池蓋を支える電池蓋支持部と有し、前記電池収納ユニットの本体は、前記電池蓋の電池蓋支持部を嵌め合わせて蝶番を構成する本体側支持部と、金属弾性体によって構成されたそれぞれ電池の正極用及び負極用の当接部と、該当接部間を導通させる構造の本体側端子と、前記電池蓋の４箇所の爪部をそれぞれ係合するための４箇所のロック部とを有し、前記電池蓋の収納動作においては前記電池蓋を本体に対して垂直に開いた状態である垂直開状態、前記垂直開状態から回転移動によって到達する水平開状態、前記水平開状態からスライド移動させるスライド移動状態、および前記スライド移動状態が終端まで移動することで閉状態に到達し、前記電池蓋が前記スライド移動状態において前記閉状態に近づく際、前記電池蓋当接部と前記本体側当接部とが当接し、その当接により前記当接部は前記スライド移動状態方向に前記本体側当接部からの付勢力を受け、前記電池蓋が前記付勢力に抗してさらに閉状態側に移動すると両当接部が導通し、前記４箇所の爪部と前記４箇所のロック部がそれぞれ係合する構造であって、前記電池蓋は電池挿入方向に突出するリブを有し、前記電池収納ユニットに正常な極性で電池が挿入された場合には、前記スライド移動状態からスライドして前記閉状態で前記リブが該電池を前記電池収納ユニット側に押圧し、かつ前記爪部と前記ロック部が係合し、前記電池収納ユニットに誤った極性で電池が挿入された場合には、前記スライド移動状態からスライドして前記閉状態に近づいても前記爪部と前記ロック部が係合できないよう構成されている。
【０００７】
電池収納ユニットであって、前記リブは前記スライド状態から前記閉状態に移動すると同時に前記電池を前記電池収納ユニットに押圧し、かつ前記スライド量に従って前記電池の前記電池収納ユニットへの押圧力を徐々に大きくするように所定の角度を以って前記電池と当接するよう構成される。
【０００８】
電池収納ユニットであって、前記リブは、弾性を持つように前記電池蓋と一体成形されて前記電池蓋に配されている。
【０００９】
電池収納ユニットであって、前記当接部は、前記電池蓋と一体成型されて電池蓋に配されている。
【００１０】
電池収納ユニットであって、前記爪部と前記ロック部をそれぞれ２箇所以上有する。
【００１１】
前記の通り構成することにより、電池が正常に挿入されているときには、電池蓋をスライドさせて徐々に電池を電池収納ユニットに押圧し、また電池が誤挿入されている場合には電池蓋と電池収納ユニットが係合せず、電池の逆接続を防止し、かつ電池蓋が閉らないことによってユーザーに対して電池が誤挿入されていることを知らせるように作用する。
【発明の効果】
【００１２】
請求項１に記載の発明によれば、スライド式の電池蓋開閉装置において、電池を誤挿入した場合に、電池蓋が電池収納ユニットと係合しないように構成し、ユーザーに誤挿入を知らせることが可能となる。また、電池が正常に挿入された場合には、電池蓋に設けられたリブによって電池に押圧力をかけて、電池を確実に電池収納ユニット内に固定し、電池の導通状態を確実にすることが可能となる。
【００１３】
請求項２に記載の発明によれば、前記リブに所定の角度を持たせることで、電池蓋の成型によって発生するリブ高さのバラツキ、または電池収納ユニットの成型バラツキに関わらず、スライド開始を可能にし、または円滑することが可能となる。また、電池への押圧力をスライドの距離に従って徐々に大きくすることが可能となり、スライドを行うユーザーは押圧力に対する反発力を感じることによって電池を確実に電池収納ユニットに納めることを確認することが可能となる。
【００１４】
請求項３に記載の発明によれば、電池蓋のリブを電池蓋と一体成型することにより、電池蓋の生産効率を向上し、生産コストを下げることが可能となる。
【００１５】
請求項４に記載の発明によれば、当接部を電池蓋側端子と一体成型することにより、電池蓋の生産効率を向上し、生産コストを下げることが可能となる。
【００１６】
請求項５に記載の発明によれば、係合箇所を２つ以上設けることで、電池蓋と電池収納ユニットとの固定を確実に行なうことが可能となる。
【発明を実施するための最良の形態】
【００１７】
図１に、本発明の電子機器本体の斜視図を示す。電子機器本体１０の上面には、後述する電池収納ユニット２００が形成され、その開口部には電池蓋１００が設けられている。電池蓋１００は、電池収納ユニット２００の開口部を開閉可能であって、図１の（ａ）は電池蓋１００を電子機器本体１０に対して垂直に開いた垂直開状態Ａの状態を示す。図１の（ｂ）は、垂直開状態Ａから電池蓋１００を倒して電子機器本体１０に対して電池蓋が水平になった水平開姿勢Ｂの状態を示す。また、図１の（ｃ）は前記水平開状態Ｂから電池蓋１００を横にずらしたスライド移動状態Ｃを示す。また、スライド移動状態Ｃからさらに電池蓋１００を閉じた状態が閉状態Ｄになる。なお、電池蓋１００の上面には、ユーザーの指などによる押圧力を確実に伝えるため、凹凸形状の滑り止め部１０１が設けられている。
【００１８】
本発明の電子機器本体１０は、電池蓋１００が閉状態Ｄからスライド移動状態Ｃに移行する際に、クリック感が生ずるよう構成されている。また、逆に、電池蓋１００がスライド移動状態Ｃから閉状態Ｄに移行する際にも、クリック感が生ずるよう構成されている。ここで、クリック感とは、電池蓋１００をある方向に移動する際に、その方向とは逆の方向に抵抗を生ずること及びその抵抗に起因するユーザーの感覚をいう。
【００１９】
図２は、電池収納ユニット２００の斜視図である。この電池収納ユニット２００を電子機器本体１０の上面に取り付けることにより、電池の収納を可能にしている。電池収納ユニット２００には、電池収納部２０１ａ、ｂが設けられ、電池収納部２０１ａ、ｂの開口側には、本体側当接部２０２、本体側支持部２０４ａ、ｂ、及びロック部２０６ａ〜ｄが設けられている。電池収納部２０１ａ、ｂは電池を収納可能であり、収納する電池は一次電池でも二次電池でも可能である。電池収納部２０１ａ、ｂの底部にはそれぞれ本体側端子２０７ａ、ｂを設ける。また、本体側端子の正極端子の２０７ａの両端近傍に電池を受けるための電池受け部２０５ａ、ｂを設ける。
【００２０】
電池収納ユニット２００の開口部側には、後述する電池蓋１００の当接部３０２と当接する本体側当接部２０２が設けられている。本体側当接部２０２は、電池蓋１００がスライド移動する途中で当接部３０２と当接可能になされている。
【００２１】
本体側支持部２０４ａ、ｂは、電池蓋１００を支えるための長穴である。本体側支持部２０４には、電池蓋１００に取り付けられた後述する電池蓋支持部３０４を挿入する。本体側支持部２０４が長穴に形成されているため、電池蓋１００はスライド可能に支えられる。
【００２２】
ロック部２０６ａ〜ｄは、後述する電池蓋１００の先端部および後端部に設けた爪部３０６ａ〜ｄと、それぞれ係合して、電池蓋１００をロックするための係合部材である。ロック部２０６ａ〜ｄは、電池蓋１００がスライド移動状態Ｃから閉状態Ｄに移動する際に、爪部３０６ａ〜ｄとそれぞれ係合する。
【００２３】
図３は、電池蓋１００の裏面からみた斜視図である。電池蓋１００は、後端部側に当接部３０２、および電池蓋支持部３０４を設け、裏面に電池蓋側端子３０７ａ、ｂを設け、先端側および後端側に爪部３０６ａ〜ｄを設ける。
【００２４】
当接部３０２は、金属製弾性材で成型され、バネ腕部３０３を有し、電池用端子と共用で設計され、電池蓋１００の裏面の後端側に設けられた凸形状の突起である。また、当接部３０２は、電池蓋１００の裏面に設け、その位置は、電池蓋支持部３０４の近傍に設定する。当接部３０２の突起の形状は、断面が略三角形の形状である。この形状は、本体側当接部２０２と当接する部分の断面が略三角形状であればよく、全体として、三角形状でなくても構わない。また、突起の形状は、尖っていても、丸まっていても、また少し平らな部分があっても構わない。
【００２５】
また、当接部３０２は、バネ腕部３０３の一端に支持されている。バネ腕部３０３の他端は電池蓋１００に固定されている。バネ腕部３０３は、電池の挿抜方向に弾性変形可能な弾性体である。したがって、当接部３０２は、電池の挿抜方向に変位可能である。本実施例において、当接部３０２と電池端子３０７ａ、ｂが金属性弾性材で一体成型されているのは、電池端子３０７ａ、ｂには導通性が必要であること、および当接部３０２には弾性力が必要であること、という両部品が必要とするそれぞれの特性を満たすことが可能で有り、さらには製造工程を簡略化することが可能となるからである。なお、バネ腕部３０３は、樹脂で形成してもよく、この場合には電池端子３０７ａ、ｂとの一体成型ではなく、電池蓋１００と一体成型すれば同様に製造工程を簡略化するためでもある。
【００２６】
次に電池蓋支持部３０４は、金属製で棒状に加工され、電池蓋１００の後端側に圧入されている。電池蓋支持部３０４の両端は、電池蓋１００の側部から突出するようになされている。電池蓋支持部３０４は前記電池収納部２０１ａ、ｂの本体側支持部２０４ａ、ｂに挿入されて蝶番を構成して電池蓋１００が回転可能かつスライド可能となる。また、電池蓋支持部３０４の一端にはコイルバネ３０１が設けられ、電池蓋支持部３０４が本体側支持部２０４ａ、ｂに挿入された際に、コイルバネ３０１によって電池蓋１００は電子機器本体に対して垂直方向に付勢されて、ユーザーが手を放した状態でも、垂直開状態Ａの状態を維持するようなされている。
【００２７】
次に、爪部３０６ａおよび３０６ｄは、電池蓋１００の先端部に設ける。また、爪部３０６ｂおよび３０６ｃは、電池蓋１００の後端部に設ける。爪部３０６ａ〜ｄは、電池収納ユニット２００に設けられたロック部２０６ａ〜ｄとそれぞれ係合する係合部材である。
電池蓋側端子３０７ａ、ｂは、電池の端子と電気的および機械的に接触する端子である。
【００２８】
以上のように構成された電子機器本体１０について、電池蓋１００の開閉動作を説明する。
【００２９】
次に、水平開状態Ｂから閉状態Ｄに移行するときの動作を説明する。
【００３０】
図４〜６は、電池が正常挿入されている場合の、水平開状態Ｂから閉状態Ｄに至る際の電池支持部３０４近傍の拡大断面図である。図４は、水平開状態Ｂにおける断面図であり、図５は、スライド移動状態Ｃにおける断面図であり、図６は閉状態Ｄにおける断面図である。
【００３１】
図４に示すように、電池蓋１００が水平開状態Ｂにある状態において、ユーザーが電池蓋１００を後端方向（図中矢印Ｘ方向）にスライド移動させると、図５に示すように、電池支持部３０４は、本体側支持部２０４の中を後端方向（図中矢印Ｘ方向）にスライド移動する。
【００３２】
図４に示す状態では、当接部３０２は、電池収納ユニット側当接部２０２と当接しないが、図５に示す状態になると、これらが当接し始める。当接部３０２が電池収納ユニット側当接部２０２と当接し始めると、当接部３０２は、本体側当接部２０２を押し下げ、バネ腕部３０３の付勢力により、電池蓋１００がスライド移動状態Ｃになる方向（図中矢印Ｙ方向）に反発力を受ける。
【００３３】
この状態からユーザーが操作して電池蓋１００が閉状態Ｄになる方向（図中矢印Ｘ方向）に移動させると、当接部３０２は、本体側当接部２０２から受ける反発力に抗して、矢印Ｘ方向にスライド移動する。
【００３４】
そして、ユーザーがその反発力に抗してさらに電池蓋１００を閉状態Ｄ側（図中矢印Ｘ方向）にスライド移動させると、当接部３０２の突起の頂点が本体側当接部２０２の上面に乗り上げ、図５に示す状態となる。
【００３５】
更にユーザーが電池蓋１００を矢印Ｘ方向にスライド移動させると、当接部３０２の頂点が本体側当接部２０２の上面を乗り越える。このとき、当接部３０２が本体側当接部２０２から受ける反発力（電池蓋１００がスライド移動状態Ｃになる方向の力）はなくなるので、ユーザーは、電池蓋１００からクリック感を感じる。そして当接部３０２の突起は図６に示すように、本体側当接部２０２の上面よりも下がった位置に固定されて、閉状態Ｄとなる。ここで電池のプラス端子とマイナス端子がそれぞれ受けるために電池蓋３００に設けられた電池蓋側端子３０７ａと３０７ｂに接触して、電池が導通状態となる。
【００３６】
次に図７（ａ）〜（ｃ）は電池が異常挿入されているそれぞれの場合の、電池蓋１００がスライド移動状態Ｃと閉状態Ｄの間の姿勢のときの電池蓋支持部近傍の拡大断面図を表している。
【００３７】
まず図７（ａ）の状態を説明する。図４〜図６の正常な電池の挿入状態とは異なり、２本の電池のうち、電池蓋側端子３０７ｂと本体側端子２０７ｂによって導通する電池が正負極性が逆に挿入されている。図６のように、電池が正常挿入されている場合には、リブ３０８に近い側に挿入されている電池はプラス端子が上側になるのが正常挿入となるように設計されており、電池蓋１００の蓋内上面と電池のプラス端子突起の根元に隙間が出来る。リブ３０８は、前記の隙間とほぼ同じ高さに構成されているので、スライド移動状態Ｃから電池蓋１００をスライドさせて、閉状態Ｄに移行することが可能である。
【００３８】
しかしながら、図７（ａ）のようにリブ３０８に近い側の電池が、マイナス端子を上側に挿入された場合には、前記隙間がなくなるため、リブ３０８が電池に接触し、電池蓋１００がリブ３０８の高さ分だけ上方に押し上げられる。このため、電池蓋１００の爪部３０６ａも上方に持ち上げられる。そのため、電池蓋１００の爪部３０６ａに係合する電池収納ユニット２００のロック部２０６ａと同じ高さにならないので、図７の状態から電池蓋１００をスライドさせても、電池蓋１００の爪部３０６ａと、電池収納ユニット２００のロック部２０６ａの高さが合わないため係合出来ずに、電池蓋１００と電池収納ユニットは閉状態Ｄに移行することが出来ない。
【００３９】
また、電池蓋側端子３０７ａと３０７ｂもリブ３０８の高さ分だけ上方に押し上げられる。このため、電池蓋側端子３０７ａも３０７ｂも電池とは接触しないため、電池同士が導通状態になることはない。
【００４０】
次に図７（ｂ）は、２本の電池が両方ともそれぞれ正負の極性が反対に挿入されている。この場合、電池蓋側端子３０７ａと本体側端子２０７ａによって導通されるべき電池は、電池のマイナス端子が電池収納ユニット２００の底部にして挿入されているため、電池のマイナス側底面が電池受け部２０５ａ、ｂによって前記電池受け部の高さよりも下方には挿入されない。従って正常挿入の場合よりも電池のプラス端子分高くなるため、電池蓋側端子３０７ａを押し上げるため、電池蓋１００は図７（ｂ）に示す通り、水平開状態Ｂに移行することも不可能となる。
【００４１】
次に図７（ｃ）は、２本の電池が両方ともそれぞれ正極を上方にして挿入されている。この場合も前記図７（ｂ）と同様に、電池蓋側端子３０７ａと電池収納ユニット側端子２０７ａによって導通されるべき電池は、電池のマイナス端子が電池収納ユニット２００の底部にして挿入されているため、電池のマイナス側底面が電池受け部２０５ａ、ｂによって前記電池受け部の高さよりも下方には挿入されない。従って正常挿入の場合よりも電池のプラス端子分高くなるため、電池蓋側端子３０７ａを押し上げるため、電池蓋１００は図７（ｃ）に示す通り、水平開状態Ｂに移行することも不可能となる。
【００４２】
上述のように、ユーザーが電池を誤挿入した場合には、電池蓋１００が閉らないように構成することによって、電池の導通を阻止し、逆接続による過放電を防止することが可能となる。また、電池蓋が閉らないことで、ユーザーに対して電池が誤挿入されていることを知らせることが可能となる。
【００４３】
次に図８は、電池が正常挿入されている場合の、電池蓋が閉姿勢Ｃのときのリブ近傍の拡大断面図を表している。リブ３０８と電池の接点では、下方に向かって押圧力Ｆが働く。このため、電池は電池収納ユニット２００にガタツキなく固定され、電池の電気接点にも確実に押さえて導通を確保することが可能となる。また、下方の端面は、水平方向に対して所定の角度θを持つようになされている。この所定の角度θによって、スライド姿勢Ｂでは、リブ３０８と電池との接点は少なく、押圧力Ｆは小さいためスライドを開始しやすくなる。また、スライドを進めて行くに従って、リブ３０８と電池との接点は大きくなり、これに従って押圧力Ｆは大きくなり、閉姿勢Ａにおいては確実に電池を固定することが可能となる。
【００４４】
前述のように、リブ３０８に所定の角度θを持たせることによって、リブ３０８を成型する際の誤差を吸収することが可能となる。例えば、所定の角度θがゼロの場合、リブ３０８の成型の誤差によって、リブ３０８の高さが小さくなり、リブ３０８と電池の間に隙間が発生した場合には電池が電池収納ユニット２００の内部で確実に固定されず、導通がなされない可能性がある。また、ユーザーが電子機器本体１０を携帯した場合に、継続的に振動を受けた場合には、電池収納ユニット２００の内部で電池のガタツキが発生し、電池収納ユニット２００の破損を招く可能性もある。
【００４５】
上述のように、本発明では、スライド式の電池蓋開閉装置において、電池を誤挿入した場合には誤挿入をユーザーに知らせ、また正常に挿入された場合には電池を確実に電池収納ユニットに固定することが可能となる。
【００４６】
また、本実施の形態では、電池収納ユニット２００をまず構成し、これを電子機器本体１０に固定するようにしたが、これに限らず、例えば、電子機器本体１０に直接電池収納部２０１や本体側当接部２０２を設けるようにしてもよい。
【００４７】
また、本実施の形態では、金属で加工された電池支持部３０４を電池蓋１００に圧入するとしたが、これに限らず、例えば、電池蓋１００と電池支持部３０４を樹脂により一体成形してもよい。このように構成することにより、電池支持部３０４の圧入工程を省けるので、電池蓋１００の製造工程を簡略化できる。
【００４８】
また、本実施の形態では、電池収納部２０１は、２つ設けたが、この数に限らない。例えば、１本の場合でもよく、３本の場合でもよい。
【００４９】
また、本実施の形態では、電池収納部２０１を電子機器本体１０の上面に設ける構成としたが、これに限らず、底面や側面等に設けるようにしてもよい。
【００５０】
また、本実施の形態では、電池収納部２０１へは電池を縦にして装着する構成としたが、これに限らず、電池を横にして装着するようにしてもよい。
【００５１】
また、本実施の形態では、電池の型を単３型または単４型としたが、これに限らず、箱型のものでもよく、各電子機器専用に設計された形のものでもよい。
【００５２】
また、本実施の形態では、電池受け部を電池収納ユニット側端子の両端近傍の２箇所に配置したが、電池収納ユニット側端子の周囲をドーナツ形に囲む形状とすれば更に電池を強固に受けることが可能となる。また、これら配置する個数や形状は、電池を受けることが出来る形状であればいずれも適用することが可能である。
【産業上の利用可能性】
【００５３】
本発明は、電池収納部を有する電子機器に対して適用可能であり、ポータブルオーディオプレーヤー、携帯電話端末等の携帯可能な電子機器に対して好適である。
【図面の簡単な説明】
【００５４】
【図１】（ａ）本発明にかかる電子機器において、電池蓋が電子機器本体に対して垂直に開いた状態である垂直開状態Ａの上面側から見た斜視図を表す（ｂ）本発明にかかる電子機器において、垂直開姿勢Ａから電池蓋を水平に倒した状態である水平開状態Ｂの上面側から見た斜視図を表す（ｃ）本発明にかかる電子機器において、水平開状態Ｂから電池蓋を閉方向にスライドさせている状態であるスライド移動状態Ｃの上面側から見た斜視図を表す（ｄ）本発明にかかる電子機器において、スライド移動状態Ｃから電池蓋を閉方向に終端までスライドさせて電池蓋が閉じた状態の閉状態Ｄの上面側から見た斜視図を表す
【図２】本発明にかかる電池収納ユニットの斜視図を表す
【図３】本発明にかかる電池蓋の裏面から見た斜視図を表す
【図４】本発明にかかる電子機器において、電池が正常挿入されている場合の、電池蓋がスライド姿勢Ｂのときの電池蓋支持部近傍の拡大断面図を表す
【図５】本発明にかかる電子機器において、電池が正常挿入されている場合の、電池蓋がスライド移動状態Ｂと閉状態Ｃの間の姿勢のときの電池蓋支持部近傍の拡大断面図を表す
【図６】本発明にかかる電子機器において、電池が正常挿入されている場合の、電池蓋が閉状態Ｃのときの電池蓋支持部近傍の拡大断面図を表す
【図７】（ａ）本発明にかかる電子機器において、電池異常挿入時の、電池蓋がスライド移動状態Ｃと閉状態Ｄの間の姿勢のときの電池蓋支持部近傍の拡大断面図を表す（ｂ）本発明にかかる電子機器において、別の電池異常挿入時の、電池蓋がスライド移動状態Ｃと閉状態Ｄの間の姿勢のときの電池蓋支持部近傍の拡大断面図を表す（ｃ）本発明にかかる電子機器において、更に別の電池異常挿入時の、電池蓋がスライド移動状態Ｃと閉状態Ｄの間の姿勢のときの電池蓋支持部近傍の拡大断面図を表す
【図８】本発明にかかる電子機器において、電池が正常挿入されている場合の、電池蓋が閉状態Ｄのときのリブ近傍の拡大断面図を表す
【図９】従来技術における電池収納ユニットと電池蓋を表す
【符号の説明】
【００５５】
１０  電子機器本体
１００ 電池蓋
１０１  操作指用滑り止め部
２００ 電池収納ユニット
２０２  本体側当接部
２０４ａ〜ｂ  本体側支持部
２０６ａ〜ｄ  ロック部
２０７ａ、ｂ  本体側端子
３０１  コイルバネ
３０２  当接部
３０６ａ〜ｄ  爪部
３０４  電池蓋支持部
３０７ａ、ｂ  電池蓋側端子
３０８  リブ
【図１】
2009021059.tif 000003
【図２】
2009021059.tif 000004
【図３】
2009021059.tif 000005
【図４】
2009021059.tif 000006
【図５】
2009021059.tif 000007
【図６】
2009021059.tif 000008
【図７】
2009021059.tif 000009
【図８】
2009021059.tif 000010
【図９】
2009021059.tif 000011